(57)【要約】【課題】使用者が自分だけの装飾を施すことが可能であり、変化に富んだ使用が可能であるアクセサリーを提供する。【解決手段】本体（２）の外面に、スナップ（３ａ）（３ｂ）の雄型および雌型のいずれか一方（３ａ）が固着されており、これに同他方（３ｂ）が着脱自在に取り付けられている。【選択図】図１
2006223805.tif 000002
【特許請求の範囲】
【請求項１】
髪止め具、ブローチ、ブレスレット、ペンダント、ネクタイピン、ストラップホルダー等のアクセサリーにおいて、外枠体の外面にスナップ（３ａ）（３ｂ）の雄型および雌型のいずれか一方（３ａ）が固着されており、これに同他方（３ｂ）が脱着自在に取り付けられていることを特徴とするアクセサリー。
【請求項２】
髪止め具、ブローチ、ブレスレット、ペンダント、ネクタイピン、ストラップホルダー等のアクセサリーにおいて、外枠体の外面にスナップ（３ａ）（３ｂ）の雄型および雌型のいずれか一方（３ａ）が固着されており、これに同他方（３ｂ）が脱着自在に取り付けられることにより、アクセサリーの種類の中で同他方（３ｂ）が自在に取り替えることができることを特徴とするアクセサリー。
【発明の詳細な説明】
【発明の詳細な説明】
【技術分野】
【０００１】この発明は、装飾片の取替えを自由に行なえることを図ったアクセサリーに関する。
【背景技術】
【０００２】一般アクセサリー（ブローチ、ペンダント、プレスレット、ネクタイピン、ストラップホルダー、髪止め具）等において、装飾片が本体に固着されたアクセサリーは、従来より知られている。
【発明が解決しようとする課題】
【０００３】上記のアクセサリーでは、装飾片を取り付けない場合はもちろんのこと、プラスチック製や布製の装飾片を固着した場合でも、一度アクセサリーを購入してしまえば、その装飾片を自分で変更することはほぼ不可能である為、変化に乏しいという問題があった。
【０００４】この発明の目的は、使用者が自分だけの装飾を施すことが可能であり、変化に富んだ使用が可能であるアクセサリーを提供することにある。
【課題を解決するための手段および発明の効果】
【０００５】第一の発明によるアクセサリーは、スナップ（３ａ）（３ｂ）の雄型および雌型のいずれか一方（３ａ）が固着されており、これに同他方（３ｂ）が着脱自在に取り付けられていることを特徴とするものである。
【０００６】第一の発明のアクセサリーの購入者は、スナップの他方（３ｂ）を外して、これらを自分の好きなデザインの装飾片（１）に糸、接着剤などで取り付け、さらにこの装飾片（１）をスナップを介して本体（２）に取り付けることにより、アクセサリーに自分だけの装飾を施すことができる。
【０００７】第二の発明によるアクセサリー（ブローチ、ペンダント、ブレスレット、ネクタイピン、ストラップホルダー、髪止め具）等において、本体（２）の外面にスナップ（３ａ）（３ｂ）の雄型および雌型のいずれか一方（３ａ）が固着され、同他方（３ｂ）が装飾片（１）に取り付けられ、装飾片（１）がスナップ（３ａ）（３ｂ）を介して、本体（２）に着脱自在に取り付けられていることを特徴とするものである。
【０００８】第二の発明のアクセサリーによると、アクセサリーの購入者は、既に取り付けられている装飾片（１）をそのまま使用してもよいし、自分の好きなデザインの装飾片（１）に別途スナップの他方（３ｂ）を糸、接着剤などで取り付け、この装飾片（１）をスナップ（３ａ）（３ｂ）を介して本体（２）に取り付けることにより、アクセサリーに自分だけの装飾を施すこともできる。
【０００９】上記において、装飾片としては布製やゴム製で変形可能なものであれば、ブローチ、ペンダント、ブレスレット、ネクタイピン、ストラップホルダー、髪止め具等種々のものを選択することができ、自由に装飾片（１）を取り替えることもできる。
【００１０】なお、この明細書において「本体」とは一般的に使用されているアクセサリーとする。
【発明を実施するための最良の形態】
【００１１】この発明の実施の形態を以下図面を参照して説明する。
この明細書において、本体とは、一般に使用されているアクセサリーをいい、装飾片とは、取り替え自在のものをいう。【００１２】図１は、この発明によるアクセサリーを示すもので、本体（２）の外側にスナップ雄型（３ａ）が１個固着されており、雄型（３ａ）にスナップの雌型（３ｂ）が着脱自在に取り付けられている。【００１３】スナップ（３ａ）（３ｂ）は雄型（３ａ）と雌型（３ｂ）とで、一対をなし、服の合わせ目等を止めるのに用いられる金属性のまるい止め具である。
このスナップの雄型（３ａ）の方が、本体（２）に配置されて、ろう付け、ボンドによる接着、はんだ付け、スポット溶接などの方法により、本体（２）に固着されている。
スナップ雌型（３ｂ）の方を本体（２）に固着してももちろんよい。【００１４】上記の構成を有するアクセサリーの使用方法についての一例を以下に示す。【００１５】アクセサリーの購入者は、スナップの雌型（３ｂ）を外して、自分の好きなデザインの装飾片（１）に取り付けて使用する。装飾片（１）としては図１に示したもののほかに、布製やゴム製で変形可能なものであれば、他のアクセサリー等にも使用でき取り替えも可能である。【００１６】なお、消費者に提供する形としては、図１にしめしたように装飾片（１）を取り付けていない状態であってももちろんよいが、取り付けた状態でもよい。【００１７】なお、上記において示した本体（２）装飾片（１）の構成については、一例を示すだけのものであり、この発明によるアクセサリーは、アクセサリーであれば個々の構成は種々変更可能である。
【図面の簡単な説明】
【００１８】
【図１】第一の発明、第二の発明によるアクセサリーを示す斜視図である。図１から図８は、それぞれのアクセサリーの使用例を示したものである。図１  スリーピン図２  リングゴム図３  ヘアクリップ図４  ペンダント図５  キーホルダー図６  差しピン図７  ストラップホルダー図８  ネクタイピン
【符号の説明】
【００１９】（１）              装飾片
（２）              本体
（３ａ）（３ｂ）    スナップ
【図１】
2006223805.tif 000003
【図２】
2006223805.tif 000004
【図３】
2006223805.tif 000005
【図４】
2006223805.tif 000006
【図５】
2006223805.tif 000007
【図６】
2006223805.tif 000008
【図７】
2006223805.tif 000009
【図８】
2006223805.tif 000010
【手続補正書】
【提出日】平成17年4月21日(2005.4.21)
【手続補正１】
【補正対象書類名】明細書
【補正対象項目名】００１８
【補正方法】変更
【補正の内容】
【００１８】
【図１】スリーピン斜視図  本体（２）にスナップ（３ａ）（３ｂ）を取り付けることで、装飾片（１）を脱着自在に又は取り替えることができる。
【図２】リングゴム斜視図  本体（２）にスナップ（３ａ）（３ｂ）を取り付けることで、装飾片（１）を脱着自在に又は取り替えることができる。
【図３】ヘアクリップ斜視図  本体（２）にスナップ（３ａ）（３ｂ）を取り付けることで、装飾片（１）を脱着自在に又は取り替えることができる。
【図４】ペンダント斜視図  本体（２）にスナップ（３ａ）（３ｂ）を取り付けることで、装飾片（１）を脱着自在に又は取り替えることができる。
【図５】キーホルダー斜視図  本体（２）にスナップ（３ａ）（３ｂ）を取り付けることで、装飾片（１）を脱着自在に又は取り替えることができる。
【図６】差しピン  本体（２）にスナップ（３ａ）（３ｂ）を取り付けることで、装飾片（１）を脱着自在に又は取り替えることができる。
【図７】ストラップホルダー斜視図  本体（２）にスナップ（３ａ）（３ｂ）を取り付けることで、装飾片（１）を脱着自在に又は取り替えることができる。
【図８】ネクタイピン斜視図  本体（２）にスナップ（３ａ）（３ｂ）を取り付けることで、装飾片（１）を脱着自在に又は取り替えることができる。